(57)【要約】【課題】  ユーザーが必要とする表示画面だけをユーザーが表示したい順序で表示する測定装置を実現すること。【解決手段】  ドットマトリックス形の表示器を用いた測定装置において、  所望の表示内容の表示画面を、所望の順序で切り替えて選択的に表示するように構成されたことを特徴とするもの。【選択図】                    図１
2005069797.tif 000002
【特許請求の範囲】
【請求項１】
ドットマトリックス形の表示器を用いた測定装置において、
所望の表示内容の表示画面を、所望の順序で切り替えて選択的に表示するように構成されたことを特徴とする測定装置。
【請求項２】
各表示画面に割り当てるべき複数の表示内容を格納する表示内容格納領域と、
各表示画面に割り当てられた表示内容を格納する画面表示内容格納領域と、
測定データを格納する測定データ格納領域と、
前記表示内容格納領域から表示画面に割り当てるべき所望の表示内容を選択する表示内容選択部と、
前記画面表示内容格納領域から所望の表示内容を割り当てるべき編集画面を選択する編集画面選択部と、
これら表示内容選択部の選択出力と編集画面選択部の選択出力に基づき各画面の表示内容を編集する表示内容編集部と、
前記画面表示内容格納領域から表示すべき画面を選択する表示画面選択部と、
この表示画面選択部で選択された画面に前記測定データ格納領域に格納されている測定データを反映させて表示画面を生成する表示画面生成部、
を設けたことを特徴とする請求項１記載の測定装置。
【請求項３】
前記画面表示内容格納領域に格納される画面を、表示すべき複数画面を単位グループとする複数グループに編集して格納することを特徴とする請求項１または請求項２記載の測定装置。
【請求項４】
画面に表示すべき文字列が表示器の表示桁よりも長い場合には、文字列が一端から他端に流れるように表示することを特徴とする請求項１から請求項３のいずれかに記載の測定装置。
【発明の詳細な説明】
【技術分野】
【０００１】
本発明は、測定装置に関し、詳しくはドットマトリックス形の表示器を用いた測定装置における表示切替の改善に関するものである。
【背景技術】
【０００２】
特許文献１には、一定の数のピクセルを有するドットマトリックス形の表示器に連続して得られた測定データを表示するための技術が開示されている。
【０００３】
特許文献２には、１６＊３２ドットマトリックスＬＥＤよりなる自動販売機の金額表示装置を用いて、各種のメッセージ情報を表示するための技術が開示されている。
【０００４】
しかし、特許文献１は、測定装置という点では本発明と共通するものの、連続して得られた測定データの最小値、最大値および平均値を共通のドットマトリックスＬＣＤなどに同時に表示することを目的とするものである。
【０００５】
一方、特許文献２は、表示器の表示桁数以上になる各種のメッセージ情報を表示することを目的とするものである。
【０００６】
これに対し、本発明は、表示桁数の比較的少ないドットマトリックス形の表示器を用いた測定装置に関するものであり、ユーザーが測定用途に応じて表示器で表示する項目や内容を複数の表示画面毎に任意に変更できるようにした点において、特許文献１および特許文献２とは異なる。
【０００７】
【特許文献１】特開平８−１１４６３０
【０００８】
【特許文献２】特開平１０−４９７３９
【０００９】
図8はドットマトリックス形の表示器を用いた従来の測定装置の一例を示す構成ブロック図であり、多点記録計の例を示している。
【００１０】
図8において、測定装置を構成する各要素は、バスＢを介して互いに共通に接続されている。複数チャンネルのアナログ入力信号はマルチプレクサ1で所望の測定チャンネルが選択されてアンプ2に入力され、Ａ／Ｄ変換器3の入力変換特性に適正な範囲の値に調整されてＡ／Ｄ変換器3に加えられる。
【００１１】
測定装置全体の動作は、ＣＰＵ4により統括制御される。ＲＯＭ5には一連の測定動作ステップを定義する実行プログラムや測定に伴う固定パラメータなどが格納されている。ＲＡＭ6には、ユーザーにより設定される測定に伴う可変パラメータやＡ／Ｄ変換器3から変換出力される測定データや測定データに基づく各種の演算結果などが格納される。
【００１２】
キーボード7はユーザーが測定装置を操作するためのものであり、キーボードインタフェース8を介してバスＢに接続されている。
【００１３】
表示器9は駆動回路10を介してバスＢに接続されている。具体的には、図9に示すように横方向および縦方向にそれぞれ複数の表示素子dが一定の間隔で配列されたドットマトリックス形の表示器であり、液晶やＬＥＤや蛍光表示管などを用いる。ユーザーは、この表示器9を介して、設定されている各種の測定条件や、各測定チャンネルの測定データなどを読み取り確認することができる。
【００１４】
記録ヘッド移動機構11はヘッド走査回路12を介してバスＢに接続されている。記録ヘッド移動機構11は、測定データの大きさを記録紙上にドット記録するために、例えば複数色に染め分けられたインクリボンとワイヤドットの組み合わせよりなる記録ヘッドを記録紙の有効記録領域を含む範囲内で往復移動させる。
【００１５】
記録ヘッド駆動機構13はヘッド駆動回路14を介してバスＢに接続されている。記録ヘッド駆動機構13は、各測定チャンネルに割り当てられた所定のワイヤドットが各測定チャンネルの測定データの大きさに対応した記録紙上の所定の位置に到達した時点で該当する所定のワイヤドットを選択的に駆動し、各測定チャンネルに割り当てられたインクリボンの所定色帯を記録紙に押し付けて所定のインク色でのドット記録を行う。
【００１６】
なお、インクリボンとワイヤドットの組み合わせとしては、インクリボンの複数の色帯にそれぞれ１本ずつ固有のワイヤドットを割り当てたものと、インクリボンは複数の色帯に染め分けているがワイヤドットは共通した１本だけのものとが実用化されている。
【００１７】
前者の構成において、インクリボンの複数の色帯とそれぞれに対応する複数本のワイヤドットは記録ヘッドの移動方向に沿って配列され、インクリボンはワイヤドットにより記録紙に打ち付けられて印字を行う部分を更新するために記録紙の送り方向と同一方向に送られる。
【００１８】
後者の構成において、インクリボンの複数の色帯は記録紙の送り方向に沿って配列されるように染め分けられ、インクリボンはワイヤドットにより記録紙に打ち付けられる印字部分を更新するために記録紙の送り方向と直交する方向に送られるとともに、測定チャンネルに割り当てられた所定の色帯がワイヤドットと対向するように記録紙の送り方向に沿って揺動される。
【００１９】
記録紙送り機構15は記録紙送り駆動回路16を介してバスＢに接続されている。記録紙送り機構15は、記録紙をユーザーが設定した所定の速度で走行させる。
【００２０】
このような構成により、記録紙上には、複数のアナログ入力信号の大きさが、各測定チャンネルに割り当てられた所定の色のドットでトレンド記録されることになる。
【発明の開示】
【発明が解決しようとする課題】
【００２１】
ところで、表示領域が１列の表示器9を用いた測定装置における表示切替にあたっては、例えば、
1)メニューキー「MENU」を押した後、
2)上下キー「△」/「▽」を押して表示器9に「MENU=DISP」を表示させ、
3)この状態で入力キー「ENT」を押すことにより表示モードを確定し、
4)そして上下キー「△」/「▽」を押し下げることにより、予め設定されている例えば
次のようなA）〜E）を順次切り替える、
A)オート表示（DISP-AUTO）
2秒おきに各測定チャンネルの測定データを順次表示する。
B)マニュアル表示（DISP-MAN）
オート表示と同じ内容を選択した特定測定チャンネルについてのみ表示する。
C)日付表示（DISP-DATE）
年月日を表示する。
D)時刻表示（DISP-TIME）
時刻を表示する。
E)VIEW表示（DISP-VIEW）
オプションメディアの動作状態を表示する。
5)所望画面が表示されている状態で入力キー「ENT」を押すことにより表示画面確定
するように構成されていた。
【００２２】
しかし、このような構成によれば、所望の表示画面を表示させるためには、複数種類のキーを複数回操作しなければならず、操作性が悪いという問題点がある。
【００２３】
また表示器9として上下２列の表示領域が形成されたものを用いた測定装置では、上列選択キー「UPPER DISPLAY」と下列選択キー「LOWER DISPLAY」を備えている。
【００２４】
「UPPER DISPLAY」キーを押す毎に上列表示領域の表示画面は、次のようなA）〜G）に順次切り替わる。
A)DATA AUTO表示
2秒おきに各測定チャンネルの測定データを順次表示する。
B)DATA MAN表示
オート表示と同じ内容を選択した特定測定チャンネルについてのみ表示する。
C)ALARM SEARCH表示
2秒間隔でアラームが発生した測定チャンネルを表示する。
【００２５】
「LOWER DISPLAY」キーを押す毎に下列表示領域の表示画面は、次のようなA）〜C）に順次切り替わる。
A)DATA AUTO表示
2秒おきに各測定チャンネルの測定データを順次表示する。
B)DATA MAN表示
オート表示と同じ内容を選択した特定測定チャンネルについてのみ表示する。
C)ALARM SEARCH表示
2秒間隔でアラームが発生した測定チャンネルを表示する。
D)BAR GRAPH表示
上列表示領域で表示している測定チャンネルの測定データをバーグラフ表示する。
E)CLOCK表示
日付と時刻を表示する。
F)RELAY STATUS表示
アラーム出力リレーの出力状況を監視する。
G)ALARM STATUS表示
オプションで追加した測定チャンネルのアラーム発生状況を表示する。
【００２６】
このような構成によれば、表示画面の切り替わり順序が固定化されていて、ユーザーが希望する順番に変更できないという問題がある。
また、ユーザーにとって必要な表示画面だけを選択的に表示させることができず、目的とする画面を呼び出すのに時間がかかるという問題もある。
【００２７】
本発明が解決しようとする課題は、ユーザーが必要とする表示画面だけをユーザーが表示したい順序で表示する測定装置を実現することにある。
【課題を解決するための手段】
【００２８】
このような課題を達成するために、本発明のうち請求項１記載の発明は、
ドットマトリックス形の表示器を用いた測定装置において、
所望の表示内容の表示画面を、所望の順序で切り替えて選択的に表示するように構成されたことを特徴とする。
【００２９】
請求項２記載の発明は、請求項１記載の測定装置において、
各表示画面に割り当てるべき複数の表示内容を格納する表示内容格納領域と、
各表示画面に割り当てられた表示内容を格納する画面表示内容格納領域と、
測定データを格納する測定データ格納領域と、
前記表示内容格納領域から表示画面に割り当てるべき所望の表示内容を選択する表示内容選択部と、
前記画面表示内容格納領域から所望の表示内容を割り当てるべき編集画面を選択する編集画面選択部と、
これら表示内容選択部の選択出力と編集画面選択部の選択出力に基づき各画面の表示内容を編集する表示内容編集部と、
前記画面表示内容格納領域から表示すべき画面を選択する表示画面選択部と、
この表示画面選択部で選択された画面に前記測定データ格納領域に格納されている測定データを反映させて表示画面を生成する表示画面生成部、
を設けたことを特徴とする。
【００３０】
請求項３記載の発明は、請求項１または請求項２記載の測定装置において、
前記画面表示内容格納領域に格納される画面を、表示すべき複数画面を単位グループとする複数グループに編集して格納することを特徴とする。
【００３１】
請求項４記載の発明は、請求項１から請求項３のいずれかに記載の測定装置において、
画面に表示すべき文字列が表示器の表示桁よりも長い場合には、文字列が一端から他端に流れるように表示することを特徴とする。
【発明の効果】
【００３２】
本発明によれば、ユーザーが表示させたい所望の画面を表示させたい所望の順序で表示させるように予め編集しておくことができ、不要な表示画面を順次表示させなくてもよいので、効率よく測定が行える自由度の高い測定装置が実現できる。
【発明を実施するための最良の形態】
【００３３】
以下、本発明を図面を用いて詳細に説明する。図１は本発明の一実施例の要部を示す構成ブロック図であり、図8と共通する部分には同一の符号を付けている。
【００３４】
CPU4には、表示内容選択部41、編集画面選択部42、表示内容編集部43、表示画面選択部44、表示画面生成部45などが設けられている。
【００３５】
RAM6には、画面に割り当てるべき表示内容を格納する表示内容格納領域61、各画面に割り当てられた表示内容を格納する画面表示内容格納領域62、Ａ／Ｄ変換器3で変換された測定データを格納する測定データ格納領域63、表示器9で表示する表示データを格納する表示用格納領域64が設けられている。
【００３６】
表示内容格納領域61には、画面に割り当てる表示内容として、従来と同様なDATA AUTO、DATA MAN、ALARM SEARCH、BAR GRAPH、CLOCK、RELAY STATUS、ALARM STATUSをはじめ、SKIPなどが格納されている。
【００３７】
画面表示内容格納領域62には、画面1から画面nまでの複数画面を単位グループとして、複数グループの各画面にそれぞれ割り当てられているデフォルトを含む画面表示内容が格納されている。なお、この画面表示内容格納領域62に格納するグループは複数に限るものではなく、単一であってもよい。
【００３８】
表示内容選択部41は、編集画面選択部42で選択された所定の編集画面に割り当てる表示内容を表示内容格納領域61から選択して、表示内容編集部43に入力する。
【００３９】
表示内容編集部43は、表示内容選択部41で選択入力される表示内容を編集画面選択部42で画面表示内容格納領域62から選択された所定の編集画面に割り当てた後、再び画面表示内容格納領域62に上書きして格納する。
【００４０】
表示画面選択部44は、表示器9に表示すべき所定の表示内容が割り当てられた表示画面を画面表示内容格納領域62から選択し、表示すべき表示画面データとして表示画面生成部45に入力する。
【００４１】
表示画面生成部45は、表示画面選択部44から入力される表示すべき表示画面データに基づいて測定データ格納領域63から該当する測定データを読み出し、表示器9に表示すべき表示画面を生成して表示用格納領域64に格納する。そして、この表示用格納領域64に格納された生成画面データは表示器駆動部10を介して表示器9に表示される。
【００４２】
ユーザーは、これら各部の設定にあたり、キーボード7に設けられている図2に示すスイッチ類（DISPキー71、スクロールキー72、ENTRYキー73）を操作する。
【００４３】
具体的な動作を説明する。なお以下の説明では、画面表示内容格納領域62には、５画面が単一グループとして格納されていて、各画面１〜５の表示デフォルトは、画面１：DATA AUTO、画面２：DATA MAN、画面３：BAR GRAPH、画面４：CLOCK、画面５：ALARM STATUSに設定されているものとする。
【００４４】
ユーザーが図2に示すキーボード7のDISPキー71を押す毎に、表示器9の表示内容は画面１のデフォルト表示→画面２のデフォルト表示→・・のように順次切り替わる。これら各画面に対して、以下に説明する手順で表示内容を編集（変更）することができる。
【００４５】
図3は表示内容編集処理の流れを示すフローチャートである。表示モードの状態においてDISPキー71を所定時間（例えば３秒間）押し続けることにより表示内容編集モードに入り（ST1）、図5(a)，(c)に示すように編集対象とする画面番号が表示される。ここで編集する画面番号を変える場合はスクロールキー72により画面表示内容格納領域62から所望の画面番号を選択し、ENTRYキー73を押す（ST2）。
【００４６】
これにより、編集する画面番号に対応した現在の表示内容が表示内容格納領域61から読み出されて図5(b)，(d)に示すように表示される。図5(b)は文字列の表示例を示し、図5(d)は画像の表示例を示している。なお、図5の斜線は、点滅表示することを示している。
【００４７】
他の表示内容に変更するときは、スクロールキー72により所望の表示内容を表示内容格納領域61から選択してENTRYキー73を押す。設定された表示内容は、表示内容格納領域61の編集する画面番号に対応した領域に格納される（ST3）。表示内容としてSKIPが選択されるとこの画面は表示せず、次の画面に移行する。他の画面番号を編集する場合はステップST2まで戻ってステップST3までの処理を繰り返して実行する（ST4）。
【００４８】
表示内容編集モードを終了するときは、DISPキー71を所定時間（例えば３秒間）押し続けて表示モードに戻る（ST5）。これにより、表示器9は表示内容編集モードで編集した表示内容に従い、所定の表示を行う。
【００４９】
図4は表示切替処理の流れを示すフローチャートである。キーボード7のDISPキー71を押すごとに画面番号が更新され、画面表示内容格納領域62からその画面番号に対応した表示内容が読み出される（ST1）。そして読み出された表示内容がSKIPか否かを判断する（ST2）。SKIPの場合はステップST1に戻り、それ以外は読み出した表示内容を表示器9に表示する（ST3）。
【００５０】
図6は本発明に基づく表示例であって、(a)はDATA AUTOの例を示し、(b)はCLOCKの例を示し、(c)はRELAY STATUSの例を示し、(d)はALARM STATUSの例を示し、(e)はBAR GRAPHの例を示している。
【００５１】
ここで、画面に表示すべき文字列が表示器の表示桁よりも長い場合には、文字列が一端から他端に流れるように表示させる。これにより、画面に表示すべき文字列が表示器の表示桁数に制限されることはなく、所望の文字列を表示させることができる。
【００５２】
図7は画面表示内容格納領域62に格納される画面について、表示すべき互いに関連する複数画面を単位グループとする複数グループに編集して格納した例を示したものであり、5画面を単位グループとして3つのグループに編集した例を示している。
【００５３】
図7において、グループ1では、画面1にはDATA AUTOが割り当てられ、画面2にはDATA MANが割り当てられ、画面3にはBAR GRAPHが割り当てられ、画面4にはCLOCKが割り当てられ、画面5にはALARM STATUSが割り当てられている。
グループ2では、画面1にはALARM STATUSが割り当てられ、画面2にはRELAY STATUSが割り当てられ、画面3〜画面5にはそれぞれSKIPが割り当てられている。
グループ3では、画面1にはDATA AUTOが割り当てられ、画面2にはCLOCKが割り当てられ、画面3〜画面5にはそれぞれSKIPが割り当てられている。
【００５４】
これらのグループから、測定内容に応じた最適な表示内容を含む所定のグループを、測定装置の操作パネルや外部接点などから選択指定する。そして、所定のグループを選択した後、キーボード7のDISPキー71を押すことにより、表示器9にはそのグループの表示内容が順次切替表示される。
【００５５】
具体的には、例えば、アラームが発生していない通常動作時はグループ1を表示選択している。アラームが発生すると外部接点によりグループ2が選択され、図6(d)に示すALARM STATUSや図6(c)に示すRELAY STATUSを表示する。
これらにより、測定目的に応じた適切なグループが自動的に選択表示されるので、測定作業の効率化が図れることになる。
【図面の簡単な説明】
【００５６】
【図１】本発明の一実施例の要部を示す構成ブロック図である。
【図２】キーボード7に設けられているスイッチ類の説明図である。
【図３】表示内容編集処理の流れを示すフローチャートである。
【図４】表示切替処理の流れを示すフローチャートである。
【図５】表示器の表示例説明図である。
【図６】本発明に基づく表示例の説明図である。
【図７】画面のグループ編集説明図である。
【図８】従来の測定装置の一例を示すレコーダのブロック図である。
【図９】ドットマトリックス形表示器の一例を示す説明図である。
【符号の説明】
【００５７】
３  Ａ／Ｄ変換器
４  ＣＰＵ
４１  表示内容選択部
４２  編集画面選択部
４３  表示内容編集部
４４  表示画面選択部
４５  表示画面生成部
６  ＲＡＭ
６１  表示内容格納領域
６２  画面表示内容格納領域
６３  測定データ格納領域
６４  表示用格納領域
７  キーボード
８  ＫＩＦ
９  表示器（マトリックス形）
１０  表示器駆動部
【図１】
2005069797.tif 000003
【図２】
2005069797.tif 000004
【図３】
2005069797.tif 000005
【図４】
2005069797.tif 000006
【図５】
2005069797.tif 000007
【図６】
2005069797.tif 000008
【図７】
2005069797.tif 000009
【図８】
2005069797.tif 000010
【図９】
2005069797.tif 000011